(57)【要約】  モバイルメッセージングシステムは、通信装置２２と、モバイルメッセージングアプリケーション２６と、移動電話２４とを備えている。通信装置２２は、移動電話２４の所有者を宛先とするメッセージをアプリケーション２６へ送信する。アプリケーション２６は、移動電話が接続されるテレコミュニケーションネットワークのインスタントメッセージングシステム２７との制御通信リンクを開始し、更に、所定の登録メッセージを移動電話へ送信することをインスタントメッセージングシステムに指令する。メッセージを受信すると、移動電話の所有者は、自分の移動電話番号を伴う電子メールによりアプリケーション２６へ応答する。次いで、モバイルメッセージングシステムは、移動電話の所有者２０との将来のネットワーク間メッセージ通信を容易にするために、移動電話の所有者の電子メールアドレスと移動電話番号との間の関係を記録する。【選択図】  図１
2009543437.tif 000002
【特許請求の範囲】
【請求項１】
モバイルメッセージングシステムであって、
通信装置と、
モバイルメッセージングアプリケーションと、
ネットワーク間メッセージングの方法が電子メールである移動電話と、
を備え、前記通信装置は、前記移動電話の所有者を宛先とする通信メッセージを前記モバイルメッセージングアプリケーションへ送信するように動作でき、前記メッセージの受信者を識別する手段は、前記移動電話に指定された移動電話番号によるものであり、前記モバイルメッセージングアプリケーションは、移動電話が接続されるテレコミュニケーションネットワークのイントラネットワークインスタントメッセージングシステムとの制御通信リンクを開始し、更に、所定の登録メッセージを前記移動電話へ送信することを前記イントラネットワークインスタントメッセージングシステムに指令し、前記所定の登録メッセージの受信に続いて、前記移動電話の前記所有者は、自分の移動電話番号を伴う電子メールにより前記モバイルメッセージングアプリケーションへ応答し、次いで、前記モバイルメッセージングシステムが、前記移動電話の前記所有者との将来のネットワーク間メッセージ通信を容易にするために、前記移動電話の電子メールアドレスの前記所有者と、前記移動電話に指定された前記移動電話番号との間の関係を記録し、次いで、前記関係を記録した後に、前記通信メッセージを前記所有者へ前記電子メールアドレスにより送信するように動作する、モバイルメッセージングシステム。
【請求項２】
モバイルメッセージングシステムであって、
通信装置と、
モバイルメッセージングアプリケーションと、
ネットワーク間メッセージングの方法が電子メールである受信者移動電話と、
少なくとも１つのファシリテータ移動電話と、
を備え、前記通信装置は、前記受信者移動電話の所有者を宛先とする通信メッセージを前記モバイルメッセージングアプリケーションへ送信するように動作でき、前記メッセージの受信者を識別する手段は、前記移動電話に指定された移動電話番号によるものであり、前記モバイルメッセージングシステムが、受信者移動電話と同じテレコミュニケーションネットワークに接続された前記少なくとも１つのファシリテータ移動電話を制御して、前記テレコミュニケーションネットワークのイントラネットワークインスタントメッセージングシステムを使用して前記受信者移動電話へ所定の登録メッセージを送信し、前記所定の登録メッセージの受信に続いて、前記移動電話の前記所有者は、自分のＥメールアドレスで前記少なくとも１つのファシリテータ移動電話へ応答し、次いで、前記モバイルメッセージングシステムが、前記移動電話の前記所有者との将来のネットワーク間メッセージ通信を容易にするために、前記移動電話の電子メールアドレスの前記所有者と、前記移動電話に指定された前記移動電話番号との間の関係を記録し、次いで、前記関係を記録した後に、前記通信メッセージを前記所有者へ前記電子メールアドレスにより送信するように動作する、モバイルメッセージングシステム。
【請求項３】
モバイルメッセージングシステムであって、
通信装置と、
モバイルメッセージングアプリケーションと、
ネットワーク間メッセージングの方法が電子メールである移動電話と、
を備え、前記通信装置は、前記移動電話の所有者を宛先とする通信メッセージを前記モバイルメッセージングアプリケーションへ送信するように動作でき、前記メッセージの受信者を識別する手段は、前記移動電話に指定された移動電話番号によるものであり、前記モバイルメッセージングアプリケーションは、移動電話が接続されるテレコミュニケーションネットワークのイントラネットワークインスタントメッセージングシステムとの制御通信リンクを開始し、更に、所定の登録メッセージを固有の識別子を備える前記移動電話へ送信することを前記イントラネットワークインスタントメッセージングシステムに指令し、前記所定の登録メッセージの受信に続いて、前記移動電話の前記所有者は、前記固有の識別子を伴う電子メールにより前記モバイルメッセージングアプリケーションへ応答し、次いで、前記モバイルメッセージングシステムが、前記移動電話の前記所有者との将来のネットワーク間メッセージ通信を容易にするために、前記移動電話の電子メールアドレスの前記所有者と、前記固有の識別子によって識別される前記移動電話に指定された前記移動電話番号との間の関係を記録し、次いで、前記関係を記録した後に、前記通信メッセージを前記所有者へ前記電子メールアドレスにより送信するように動作する、モバイルメッセージングシステム。
【請求項４】
ネットワーク間メッセージングの方法が電子メールである移動電話へモバイルメッセージを送信するための方法であって、
通信装置により送信された通信メッセージを受信し、該通信メッセージは、意図された受信者を移動電話番号により識別するものであるステップと、
前記移動電話番号が指定された移動電話が接続されるテレコミュニケーションネットワークのイントラネットワークインスタントメッセージングシステムとの制御通信リンクを開始するステップと、
前記移動電話へ所定の登録メッセージを送信するように前記イントラネットワークインスタントメッセージングシステムに指令するステップと、
前記移動電話番号を含む前記所定の登録メッセージに対する電子メール応答を受信するステップと、
前記移動電話との将来のネットワーク間メッセージ通信を容易にするために、前記電子メール応答を送信するのに使用される前記電子メールアドレスと、前記電子メール応答に含まれる前記移動電話番号との間の関係を記録するステップと、
前記通信メッセージを前記移動電話へその記録された関連電子メールアドレスにより送信するよう動作するステップと、
を備えた方法。
【請求項５】
ネットワーク間メッセージングの方法が電子メールである移動電話へモバイルメッセージを送信するための方法であって、
通信装置により送信された通信メッセージを受信し、該通信メッセージは、意図された受信者を移動電話番号により識別するものであるステップと、
前記移動電話番号が指定された前記移動電話と同じテレコミュニケーションネットワークに接続される少なくとも１つのファシリテータ移動電話との制御通信リンクを開始するステップと、
前記テレコミュニケーションネットワークのイントラネットワークインスタントメッセージングシステムを使用して少なくとも１つのファシリテータ移動電話を経て前記移動電話へ所定の登録メッセージを送信するステップと、
電子メールアドレスを含む前記所定の登録メッセージに対するイントラネットワークメッセージ応答を受信するステップと、
前記移動電話との将来のネットワーク間メッセージ通信を容易にするために、前記イントラネットワークメッセージ応答を送信するのに使用される前記移動電話番号と、前記イントラネットワークメッセージ応答に含まれる前記電子メールアドレスとの間の関係を記録するステップと、
前記通信メッセージを前記移動電話へその記録された関連電子メールアドレスにより送信するよう動作するステップと、
を備えた方法。
【請求項６】
ネットワーク間メッセージングの方法が電子メールである移動電話へモバイルメッセージを送信するための方法であって、
通信装置により送信された通信メッセージを受信し、該通信メッセージは、意図された受信者を移動電話番号により識別するものであるステップと、
前記移動電話番号が指定された移動電話が接続されるテレコミュニケーションネットワークのイントラネットワークインスタントメッセージングシステムとの制御通信リンクを開始するステップと、
発生された固有の識別子を含む所定の登録メッセージを前記移動電話へ送信するように前記イントラネットワークインスタントメッセージングシステムに指令するステップと、
前記移動電話番号及び固有のコードを含む前記所定の登録メッセージに対する電子メール応答を受信するステップと、
前記固有のコードが前記発生された固有の識別子に一致する場合に、前記移動電話との将来のネットワーク間メッセージ通信を容易にするために、前記電子メール応答を送信するのに使用される前記電子メールアドレスと、前記電子メール応答に含まれる前記移動電話番号との間の関係を記録するステップと、
前記通信メッセージを前記移動電話へその記録された関連電子メールアドレスにより送信するよう動作するステップと、
を備えた方法。
【請求項７】
通信装置から通信メッセージを受信するように動作できるモバイルメッセージングアプリケーションであって、前記通信メッセージの受信者を識別するための手段は、移動電話に指定された移動電話番号によるもので、前記移動電話が接続されるテレコミュニケーションネットワークのイントラネットワークインスタントメッセージングシステムとの制御通信リンクを開始し、そして前記移動電話へ所定の登録メッセージを送信することを前記イントラネットワークインスタントメッセージングシステムに指令するよう動作でき、更に、前記モバイルメッセージングアプリケーションは、前記移動電話番号を含む前記所定の登録メッセージに対する電子メール応答を受信し、前記電子メール応答を送信するのに使用される電子メールアドレスと、前記電子メール応答に示された前記移動電話番号との間の関係を記録し、その後、前記通信メッセージを所有者へその記録された電子メールアドレスにより送信するよう動作できる、モバイルメッセージングアプリケーション。
【請求項８】
通信装置から通信メッセージを受信するように動作できるモバイルメッセージングアプリケーションであって、前記通信メッセージの受信者を識別するための手段は、移動電話に指定された移動電話番号によるもので、前記移動電話も接続されるテレコミュニケーションネットワークに接続される少なくとも１つのファシリテータ移動電話の制御を開始し、これにより、前記移動電話が接続される前記テレコミュニケーションネットワークのイントラネットワークインスタントメッセージングシステムを使用して登録メッセージを前記移動電話へ送信することを前記少なくとも１つのファシリテータ移動電話に指令するよう動作でき、更に、前記モバイルメッセージングアプリケーションは、前記移動電話の所有者の電子メールアドレス含む前記所定の登録メッセージに対するイントラネットワークメッセージ応答を受信し、前記イントラネットワークメッセージ応答に含まれる前記電子メールアドレスと、前記イントラネットワークメッセージ応答を送信するのに使用される前記移動電話番号との間の関係を記録し、その後、前記通信メッセージを前記所有者へその記録された電子メールアドレスにより送信するよう動作できる、モバイルメッセージングアプリケーション。
【請求項９】
通信装置から通信メッセージを受信するように動作できるモバイルメッセージングアプリケーションであって、前記通信メッセージの受信者を識別するための手段は、移動電話に指定された移動電話番号によるもので、前記移動電話も接続されるテレコミュニケーションネットワークに接続される少なくとも１つのファシリテータ移動電話の制御を開始し、これにより、前記移動電話が接続される前記テレコミュニケーションネットワークのイントラネットワークインスタントメッセージングシステムを使用して、発生された固有の識別子を含む登録メッセージを前記移動電話へ送信することを前記少なくとも１つのファシリテータ移動電話に指令するよう動作でき、更に、前記モバイルメッセージングアプリケーションは、前記移動電話の所有者の電子メールアドレス含む前記所定の登録メッセージに対するイントラネットワークメッセージ応答を受信し、前記イントラネットワークメッセージ応答に含まれる前記電子メールアドレスと、前記イントラネットワークメッセージ応答を送信するのに使用される前記移動電話番号との間の関係を記録し、その後、前記通信メッセージを所有者へその記録された電子メールアドレスにより送信するよう動作できる、モバイルメッセージングアプリケーション。
【請求項１０】
通信装置により送信された通信メッセージを受信する手段であって、前記通信メッセージは、意図された受信者を移動電話番号により識別するものである手段と、
前記移動電話番号が指定された移動電話が接続されるテレコミュニケーションネットワークのイントラネットワークインスタントメッセージングシステムとの制御通信リンクを開始する手段と、
前記移動電話へ所定の登録メッセージを送信するように前記イントラネットワークインスタントメッセージングシステムに指令する手段と、
前記移動電話番号を含む前記所定の登録メッセージに対する電子メール応答を受信する手段と、
前記移動電話との将来のネットワーク間メッセージ通信を容易にするために、前記電子メール応答を送信するのに使用される電子メールアドレスと、前記電子メール応答に含まれる前記移動電話番号との間の関係を記録する手段と、
前記通信メッセージを前記移動電話へその記録された関連電子メールアドレスにより送信するよう動作する手段と、
を記録しているコンピュータ読み取り可能な媒体。
【請求項１１】
通信装置により送信された通信メッセージを受信する手段であって、前記通信メッセージは、意図された受信者を移動電話番号により識別するものである手段と、
前記移動電話番号が指定された移動電話と同じテレコミュニケーションネットワークに接続された少なくとも１つのファシリテータ移動電話との制御通信リンクを開始する手段と、
前記テレコミュニケーションネットワークのイントラネットワークインスタントメッセージングシステムを使用して前記少なくとも１つのファシリテータ移動電話を経て所定の登録メッセージを前記移動電話へ送信する手段と、
電子メールアドレスを含む前記所定の登録メッセージに対するイントラネットワークメッセージ応答を受信する手段と、
前記移動電話との将来のネットワーク間メッセージ通信を容易にするために、前記イントラネットワークメッセージ応答を送信するのに使用される前記移動電話番号と、前記イントラネットワークメッセージ応答に含まれる前記電子メールアドレスとの間の関係を記録する手段と、
前記通信メッセージを前記移動電話へその記録された関連電子メールアドレスにより送信するように動作する手段と、
を記録しているコンピュータ読み取り可能な媒体。
【請求項１２】
通信装置により送信された通信メッセージを受信する手段であって、前記通信メッセージは、意図された受信者を移動電話番号により識別するものである手段と、
前記移動電話番号が指定された移動電話が接続されるテレコミュニケーションネットワークのイントラネットワークインスタントメッセージングシステムとの制御通信リンクを開始する手段と、
発生された固有の識別子を含む所定の登録メッセージを前記移動電話へ送信するように前記イントラネットワークインスタントメッセージングシステムに指令する手段と、
前記移動電話番号及び固有のコードを含む前記所定の登録メッセージに対する電子メール応答を受信する手段と、
前記固有のコードが前記発生された固有の識別子に一致する場合に、前記移動電話との将来のネットワーク間メッセージ通信を容易にするために、前記電子メール応答を送信するのに使用される電子メールアドレスと、前記電子メール応答に含まれる前記移動電話番号との間の関係を記録する手段と、
前記通信メッセージを前記移動電話へその記録された関連電子メールアドレスにより送信する手段と、
を記録しているコンピュータ読み取り可能な媒体。
【発明の詳細な説明】
【技術分野】
【０００１】
本発明は、モバイルメッセージングシステム及び当該モバイルメッセージングシステムを動作させる方法に係る。モバイルメッセージングシステムは、外部メッセージの主たる形態がＥメールである移動電話ネットワークへのメッセージの配送を容易にするように特に適応される。
【背景技術】
【０００２】
本発明に対する背景の以下の説明は、本発明の理解を容易にすることを意図している。この説明は、引用するいずれの資料も、本出願の優先権主張日にいずれかの管轄区において出版され、知られ、又は共通の一般的知識の一部分であったことを認め又は容認するものではないと理解すべきである。
【０００３】
モバイルメッセージングサービスは、ほとんどの移動電話ネットワークの共通の特徴である。典型的に、このようなモバイルメッセージングは、「ショートメッセージングサービス（ＳＭＳ）」によって提供される。しかしながら、ある国（日本のような）では、移動電話ネットワークは、そのとき市場で入手できる大半の移動電話を通してＳＭＳシステムを実施することができず、それ故、他の手段を通してモバイルメッセージングサービスを提供している。例えば、モバイルメッセージは、主としてＥメールとして送信するか、又は「簡易メール転送プロトコル（ＳＭＴＰ）」プロセスを通して送信することができる。
【０００４】
上述した別のシステムに伴う問題は、移動電話ネットワークに対する加入者間でのメッセージを容易にするために使用される固有の識別子が加入者のＥメールアドレスであるという点である。このシステムの最近の適応は、加入者のＥメールアドレスと、それらの移動電話番号との間に生成される関係を考慮している。このように、加入者は、自分の電話番号によってモバイルメッセージの受信を識別でき、即ちテレコミュニケーションキャリアは、生成された関係を使用して、モバイルメッセージをそれらのＥメールアドレスにより受信者へ再ルーティングすることができる。
【０００５】
これらの適応システムに伴う問題は、モバイルメッセージを発信する加入者にとって、受信者が自分のＥメールアドレスと移動電話番号との間に必要な関係を生成しているかどうか知るすべがないことである。受信者が必要な関係を生成していない場合には、１つの例外を除いて、メッセージを送信することができない。即ち、ある状況では、テレコミュニケーションキャリアは、受信者の識別子として移動電話番号のみを使用してイントラネットワークのインスタントメッセージングを許すことができる。しかしながら、ネットワーク間システムは、受信者の識別子としてＥメールアドレスを依然必要とする。
【０００６】
それ故、このような適応システムにとって、加入者が自分のＥメールアドレスと移動電話番号との間の関係を生成するよう保証することが重要になる。これは、慣習的に、各加入者が自分に移動電話番号を含むＥメールをテレコミュニケーションキャリアへ送信するというキャンペーンを行うことで対処されている。しかしながら、このようなキャンペーンは、複雑な成功度しか得られない。
【０００７】
それ故、本発明の目的は、上述した問題の幾つか又は全部を、少なくとも一部分、克服することである。
【発明の概要】
【０００８】
本件を通じて特に指示のない限り、「備える(comprising)」、「より成る(consisting of)」、等の語は、包括的なものであって、余すところのないものではないと解釈されたい。
【０００９】
本発明の第１の態様によれば、
モバイルメッセージングシステムであって、
通信装置と、
モバイルメッセージングアプリケーションと、
ネットワーク間メッセージングの方法が電子メールである移動電話と、
を備え、通信装置は、移動電話の所有者を宛先とする通信メッセージをモバイルメッセージングアプリケーションへ送信するように動作でき、メッセージの受信者を識別する手段は、移動電話に指定された移動電話番号によるものであり、モバイルメッセージングアプリケーションは、移動電話が接続されるテレコミュニケーションネットワークのイントラネットワークインスタントメッセージングシステムとの制御通信リンクを開始し、更に、所定の登録メッセージを移動電話へ送信することをイントラネットワークインスタントメッセージングシステムに指令し、所定の登録メッセージの受信に続いて、移動電話の所有者は、自分の移動電話番号を伴う電子メールによりモバイルメッセージングアプリケーションへ応答し、次いで、モバイルメッセージングシステムが、移動電話の所有者との将来のネットワーク間メッセージ通信を容易にするために、移動電話の電子メールアドレスの所有者と、移動電話に指定された移動電話番号との間の関係を記録し、次いで、その関係を記録した後に、通信メッセージを所有者へ電子メールアドレスにより送信するように動作する、モバイルメッセージングシステムが提供される。
【００１０】
モバイルメッセージングアプリケーションは、配送モジュールと、登録モジュールと、データベースとを備え、配送モジュールは、通信メッセージを受信し、その通信メッセージを分析して、移動電話に指定された移動電話番号及び通信メッセージのメッセージコンポーネントを決定し、そのような詳細を登録モジュールへ転送し、更に、登録モジュールは、移動電話の所有者からの電子メール応答を受信し、電子メール応答に示される移動電話番号を、配送モジュールにより転送された移動電話番号の詳細と相関させ、一致が決定されると、第１に、電子メール応答を送信するのに使用される電子メールアドレスと、電子メール応答に示される移動電話番号との間の関係をデータベースに記憶し、第２に、通信メッセージの一致するメッセージコンポーネントを、その記録された電子メールアドレスにより移動電話へ転送するように設計されてもよい。
【００１１】
登録メッセージは、移動電話の所有者がセキュリティの理由で自分の電子メール応答に含ませる必要のある固有のコードを含むことができる。
【００１２】
モバイルメッセージングアプリケーションは、通信メッセージが受信されたがまだ移動電話へ転送されていないことを示すメッセージを通信装置へ送信するように動作できる。
【００１３】
モバイルメッセージングアプリケーションは、電子メール応答を送信するのに使用される電子メールアドレスと、電子メール応答に示される移動電話番号との間の関係をデータベースに記憶した後に通信メッセージのメッセージコンポーネントが移動電話へ送信されたことを示すメッセージを通信装置へ送信するように動作できる。
【００１４】
モバイルメッセージングシステムは、更に、通信メッセージの発信者の移動電話番号と電子メールアドレスとの間の関係を前記と同様の仕方で記録するように動作できる。
【００１５】
本発明の第２の態様によれば、
モバイルメッセージングシステムであって、
通信装置と、
モバイルメッセージングアプリケーションと、
ネットワーク間メッセージングの方法が電子メールである受信者移動電話と、
少なくとも１つのファシリテータ移動電話と、
を備え、通信装置は、受信者移動電話の所有者を宛先とする通信メッセージをモバイルメッセージングアプリケーションへ送信するように動作でき、メッセージの受信者を識別する手段は、移動電話に指定された移動電話番号によるものであり、モバイルメッセージングシステムが、受信者移動電話と同じテレコミュニケーションネットワークに接続された少なくとも１つのファシリテータ移動電話を制御して、テレコミュニケーションネットワークのイントラネットワークインスタントメッセージングシステムを使用して受信者移動電話へ所定の登録メッセージを送信し、所定の登録メッセージの受信に続いて、移動電話の所有者は、自分のＥメールアドレスで少なくとも１つのファシリテータ移動電話へ応答し、次いで、モバイルメッセージングシステムが、移動電話の所有者との将来のネットワーク間メッセージ通信を容易にするために、移動電話の電子メールアドレスの所有者と、移動電話に指定された移動電話番号との間の関係を記録し、次いで、その関係を記録した後に、通信メッセージを所有者へ電子メールアドレスにより送信するように動作する、モバイルメッセージングシステムが提供される。
【００１６】
モバイルメッセージングアプリケーションは、配送モジュールと、登録モジュールと、データベースとを備え、配送モジュールは、通信メッセージを受信し、その通信メッセージを分析して、移動電話に指定された移動電話番号及び通信メッセージのメッセージコンポーネントを決定し、そのような詳細を登録モジュールへ転送し、更に、登録モジュールは、移動電話の所有者によりなされて少なくとも１つのファシリテータ移動電話により転送されるイントラネットワークメッセージ応答を受信し、そのイントラネットワークメッセージ応答を送信するのに使用される移動電話番号を、配送モジュールにより転送された移動電話番号の詳細と相関させ、一致が決定されると、第１に、イントラネットワークメッセージ応答に示された電子メールアドレスと、イントラネットワークメッセージ応答を送信するのに使用される移動電話番号との間の関係をデータベースに記憶し、第２に、通信メッセージの一致するメッセージコンポーネントを、その記録された電子メールアドレスにより移動電話へ転送するように設計されてもよい。
【００１７】
登録メッセージは、移動電話の所有者がセキュリティの理由で自分のイントラネットワークメッセージ応答に含ませる必要のある固有のコードを含むことができる。
【００１８】
モバイルメッセージングアプリケーションは、通信メッセージが受信されたがまだ移動電話へ転送されていないことを示すメッセージを通信装置へ送信するように動作できる。
【００１９】
モバイルメッセージングアプリケーションは、イントラネットワークメッセージ応答を送信するのに使用される移動電話番号と、イントラネットワークメッセージ応答に示されたＥメールアドレスとの間の関係をデータベースに記憶した後に通信メッセージのメッセージコンポーネントが移動電話へ送信されたことを示すメッセージを通信装置へ送信するように動作できる。
【００２０】
少なくとも１つのファシリテータ(facilitator)移動電話は、ショートコード及び固有の識別子により複数の電話番号をもつように動作できる単一移動電話でよい。
【００２１】
モバイルメッセージングシステムは、更に、通信メッセージの発信者の移動電話番号と電子メールアドレスとの間の関係を前記と同様の仕方で記録するように動作できる。
【００２２】
本発明の第３の態様によれば、
モバイルメッセージングシステムであって、
通信装置と、
モバイルメッセージングアプリケーションと、
ネットワーク間メッセージングの方法が電子メールである移動電話と、
を備え、前記通信装置は、前記移動電話の所有者を宛先とする通信メッセージを前記モバイルメッセージングアプリケーションへ送信するように動作でき、前記メッセージの受信者を識別する手段は、前記移動電話に指定された移動電話番号によるものであり、前記モバイルメッセージングアプリケーションは、移動電話が接続されるテレコミュニケーションネットワークのイントラネットワークインスタントメッセージングシステムとの制御通信リンクを開始し、更に、所定の登録メッセージを固有の識別子を備える前記移動電話へ送信することを前記イントラネットワークインスタントメッセージングシステムに指令し、前記所定の登録メッセージの受信に続いて、前記移動電話の前記所有者は、前記固有の識別子を伴う電子メールにより前記モバイルメッセージングアプリケーションへ応答し、次いで、前記モバイルメッセージングシステムが、前記移動電話の前記所有者との将来のネットワーク間メッセージ通信を容易にするために、前記移動電話の電子メールアドレスの前記所有者と、前記固有の識別子によって識別される前記移動電話に指定された前記移動電話番号との間の関係を記録し、次いで、前記関係を記録した後に、前記通信メッセージを前記所有者へ前記電子メールアドレスにより送信するように動作する、モバイルメッセージングシステムが提供される。
【００２３】
モバイルメッセージングアプリケーションは、配送モジュールと、登録モジュールと、データベースとを備え、配送モジュールは、通信メッセージを受信し、その通信メッセージを分析して、移動電話に指定された移動電話番号及び通信メッセージのメッセージコンポーネントを決定し、固有のコードを発生し、そのような詳細及び固有のコードを登録モジュールへ転送し、更に、登録モジュールは、移動電話の所有者からの電子メール応答を受信し、電子メール応答に示された固有のコードを、配送モジュールにより転送された固有のコードと相関させ、一致が決定されると、第１に、電子メール応答を送信するのに使用される電子メールアドレスと、電子メール応答に示される移動電話番号との間の関係をデータベースに記憶し、第２に、通信メッセージの一致するメッセージコンポーネントを、その記録された電子メールアドレスにより移動電話へ転送するように設計されてもよい。
【００２４】
モバイルメッセージングシステムは、更に、通信メッセージの発信者の移動電話番号と電子メールアドレスとの間の関係を前記と同様の仕方で記録するように動作できる。
【００２５】
本発明の第４の態様によれば、
ネットワーク間メッセージングの方法が電子メールである移動電話へモバイルメッセージを送信するための方法であって、
通信装置により送信された通信メッセージを受信し、該通信メッセージは、意図された受信者を移動電話番号により識別するものであるステップと、
前記移動電話番号が指定された移動電話が接続されるテレコミュニケーションネットワークのイントラネットワークインスタントメッセージングシステムとの制御通信リンクを開始するステップと、
前記移動電話へ所定の登録メッセージを送信するように前記イントラネットワークインスタントメッセージングシステムに指令するステップと、
前記移動電話番号を含む前記所定の登録メッセージに対する電子メール応答を受信するステップと、
前記移動電話との将来のネットワーク間メッセージ通信を容易にするために、前記電子メール応答を送信するのに使用される前記電子メールアドレスと、前記電子メール応答に含まれる前記移動電話番号との間の関係を記録するステップと、
前記通信メッセージを前記移動電話へその記録された関連電子メールアドレスにより送信するよう動作するステップと、
を備えた方法が提供される。
【００２６】
好ましくは、この方法は、更に、
通信メッセージを分析して、移動電話に指定された移動電話番号及びメッセージコンポーネントを決定するステップと、
そのメッセージコンポーネント及び移動電話番号を登録モジュールへ伝達するステップと、
電子メール応答を登録モジュールへ伝達するステップと、
電子メール応答に示される移動電話番号を、伝達された移動電話番号の細部と相関させるステップと、
相関の識別において電子メール応答を送信するのに使用される電子メールアドレスと、電子メール応答に示される移動電話番号との間の関係をデータベースに記憶するステップと、
その相関するメッセージコンポーネントを移動電話へその記録された電子メールアドレスにより転送するステップと、
を備えている。
【００２７】
又、この方法は、次のステップ、即ち、
通信メッセージが受信されたがまだ移動電話へ転送されていないことを示すメッセージを通信装置へ送信するステップ、又は、
通信メッセージのメッセージコンポーネントが移動電話へ送信されたことを示すメッセージを通信装置へ送信するステップ、
のいずれかを含んでもよい。
【００２８】
又、好ましい実施形態において、この方法は、
登録メッセージに含ませるための固有のコードを発生するステップと、
その固有のコードを、電子メール応答に含まれるコードと相関させるステップ
を含んでもよい。
【００２９】
本発明の第５の態様によれば、
ネットワーク間メッセージングの方法が電子メールである移動電話へモバイルメッセージを送信するための方法であって、
通信装置により送信された通信メッセージを受信し、該通信メッセージは、意図された受信者を移動電話番号により識別するものであるステップと、
移動電話番号が指定された移動電話と同じテレコミュニケーションネットワークに接続される少なくとも１つのファシリテータ移動電話との制御通信リンクを開始するステップと、
テレコミュニケーションネットワークのイントラネットワークインスタントメッセージングシステムを使用して少なくとも１つのファシリテータ移動電話を経て移動電話へ所定の登録メッセージを送信するステップと、
電子メールアドレスを含む所定の登録メッセージに対するイントラネットワークメッセージ応答を受信するステップと、
移動電話との将来のネットワーク間メッセージ通信を容易にするために、イントラネットワークメッセージ応答を送信するのに使用される移動電話番号と、イントラネットワークメッセージ応答に含まれる電子メールアドレスとの間の関係を記録するステップと、
通信メッセージを移動電話へその記録された関連電子メールアドレスにより送信するよう動作するステップと、
を備えた方法が提供される。
【００３０】
この方法は、更に、
通信メッセージを分析して、移動電話に指定された移動電話番号及びメッセージコンポーネントを決定するステップと、
そのメッセージコンポーネント及び移動電話番号を登録モジュールへ伝達するステップと、
イントラネットワークメッセージ応答を登録モジュールへ伝達するステップと、
イントラネットワークメッセージ応答を送信するのに使用される移動電話番号を、伝達された移動電話番号の細部と相関させるステップと、
相関の識別においてイントラネットワークメッセージ応答に示された電子メールアドレスと、イントラネットワークメッセージ応答を送信するのに使用される移動電話番号との間の関係をデータベースに記憶するステップと、
その相関するメッセージコンポーネントを移動電話へその記録された電子メールアドレスにより転送するステップと、
を備えてもよい。
【００３１】
又、この方法は、次のステップ、即ち、
通信メッセージが受信されたがまだ移動電話へ転送されていないことを示すメッセージを通信装置へ送信するステップ、又は、
通信メッセージのメッセージコンポーネントが移動電話へ送信されたことを示すメッセージを通信装置へ送信するステップ、
のいずれかを含んでもよい。
【００３２】
又、好ましい実施形態において、この方法は、
登録メッセージに含ませるための固有のコードを発生するステップと、
その固有のコードを、電子メール応答に含まれるコードと相関させるステップ
を含んでもよい。
【００３３】
本発明の第６の態様によれば、
ネットワーク間メッセージングの方法が電子メールである移動電話へモバイルメッセージを送信するための方法であって、
通信装置により送信された通信メッセージを受信し、該通信メッセージは、意図された受信者を移動電話番号により識別するものであるステップと、
移動電話番号が指定された移動電話が接続されるテレコミュニケーションネットワークのイントラネットワークインスタントメッセージングシステムとの制御通信リンクを開始するステップと、
発生された固有の識別子を含む所定の登録メッセージを移動電話へ送信するようにイントラネットワークインスタントメッセージングシステムに指令するステップと、
移動電話番号及び固有のコードを含む所定の登録メッセージに対する電子メール応答を受信するステップと、
固有のコードが上記発生された固有の識別子に一致する場合に、移動電話との将来のネットワーク間メッセージ通信を容易にするために、電子メール応答を送信するのに使用される電子メールアドレスと、電子メール応答に含まれる移動電話番号との間の関係を記録するステップと、
通信メッセージを移動電話へその記録された関連電子メールアドレスにより送信するよう動作するステップと、
を備えた方法が提供される。
【００３４】
本発明の第７の態様によれば、通信装置から通信メッセージを受信するように動作できるモバイルメッセージングアプリケーションであって、通信メッセージの受信者を識別するための手段は、移動電話に指定された移動電話番号によるもので、移動電話が接続されるテレコミュニケーションネットワークのイントラネットワークインスタントメッセージングシステムとの制御通信リンクを開始し、そして移動電話へ所定の登録メッセージを送信することをイントラネットワークインスタントメッセージングシステムに指令するよう動作でき、更に、モバイルメッセージングアプリケーションは、移動電話番号を含む所定の登録メッセージに対する電子メール応答を受信し、電子メール応答を送信するのに使用される電子メールアドレスと、電子メール応答に示される移動電話番号との間の関係を記録し、その後、通信メッセージを所有者へその記録された電子メールアドレスにより送信するよう動作できる、モバイルメッセージングアプリケーションが提供される。
【００３５】
モバイルメッセージングアプリケーションは、配送モジュールと、登録モジュールと、データベースとを備え、配送モジュールは、通信メッセージを受信し、その通信メッセージを分析して、移動電話に指定された移動電話番号及び通信メッセージのメッセージコンポーネントを決定し、そのような詳細を登録モジュールへ転送し、更に、登録モジュールは、移動電話の所有者からの電子メール応答を受信し、電子メール応答に示される移動電話番号を、配送モジュールにより転送された移動電話番号の詳細と相関させ、一致が決定されると、第１に、電子メール応答を送信するのに使用される電子メールアドレスと、電子メール応答に示される移動電話番号との間の関係をデータベースに記憶し、第２に、通信メッセージの一致するメッセージコンポーネントを、その記録された電子メールアドレスにより移動電話へ転送するように設計されてもよい。
【００３６】
モバイルメッセージングアプリケーションは、登録メッセージに含ませるための固有のコードを発生するように動作できる。
【００３７】
モバイルメッセージングアプリケーションは、通信メッセージが受信されたがまだ移動電話へ転送されていないことを示すメッセージを通信装置へ送信するように動作できる。
【００３８】
モバイルメッセージングアプリケーションは、電子メール応答を送信するのに使用される電子メールアドレスと、電子メール応答に示される移動電話番号との間の関係をデータベースに記憶した後に通信メッセージのメッセージコンポーネントが移動電話へ送信されたことを示すメッセージを通信装置へ送信するように動作できる。
【００３９】
本発明の第８の態様によれば、通信装置から通信メッセージを受信するように動作できるモバイルメッセージングアプリケーションであって、通信メッセージの受信者を識別するための手段は、移動電話に指定された移動電話番号によるもので、移動電話も接続されるテレコミュニケーションネットワークに接続される少なくとも１つのファシリテータ移動電話の制御を開始し、これにより、移動電話が接続されるテレコミュニケーションネットワークのイントラネットワークインスタントメッセージングシステムを使用して登録メッセージを移動電話へ送信することを少なくとも１つのファシリテータ移動電話に指令するよう動作でき、更に、モバイルメッセージングアプリケーションは、移動電話の所有者の電子メールアドレス含む所定の登録メッセージに対するイントラネットワークメッセージ応答を受信し、イントラネットワークメッセージ応答に含まれる電子メールアドレスと、イントラネットワークメッセージ応答を送信するのに使用される移動電話番号との間の関係を記録し、その後、通信メッセージを所有者へその記録された電子メールアドレスにより送信するよう動作できる、モバイルメッセージングアプリケーションが提供される。
【００４０】
モバイルメッセージングアプリケーションは、配送モジュールと、登録モジュールと、データベースとを備え、配送モジュールは、通信メッセージを受信し、その通信メッセージを分析して、移動電話に指定された移動電話番号及び通信メッセージのメッセージコンポーネントを決定し、そのような詳細を登録モジュールへ転送し、更に、登録モジュールは、移動電話の所有者によりなされ少なくとも１つのファシリテータ移動電話により転送されるイントラネットワークメッセージ応答を受信し、イントラネットワークメッセージ応答を送信するのに使用される移動電話番号を、配送モジュールにより転送される移動電話番号の詳細と相関させ、一致が決定されると、第１に、イントラネットワークメッセージ応答に示された電子メールアドレスと、イントラネットワークメッセージ応答を送信するのに使用される移動電話番号との間の関係をデータベースに記憶し、第２に、通信メッセージの一致するメッセージコンポーネントを、その記録された電子メールアドレスにより移動電話へ転送するように設計されてもよい。
【００４１】
モバイルメッセージングアプリケーションは、登録メッセージに含ませるための固有のコードを発生するように動作できる。
【００４２】
モバイルメッセージングアプリケーションは、通信メッセージが受信されたがまだ移動電話へ転送されていないことを示すメッセージを通信装置へ送信するように動作できる。
【００４３】
モバイルメッセージングアプリケーションは、イントラネットワークメッセージ応答を送信するのに使用される移動電話番号と、イントラネットワークメッセージ応答に示されるＥメールアドレスとの間の関係をデータベースに記憶した後に通信メッセージのメッセージコンポーネントが移動電話へ送信されたことを示すメッセージを通信装置へ送信するように動作できる。
【００４４】
本発明の第９の態様によれば、通信装置から通信メッセージを受信するように動作できるモバイルメッセージングアプリケーションであって、通信メッセージの受信者を識別するための手段は、移動電話に指定された移動電話番号によるもので、移動電話も接続されるテレコミュニケーションネットワークに接続される少なくとも１つのファシリテータ移動電話の制御を開始し、これにより、移動電話が接続されるテレコミュニケーションネットワークのイントラネットワークインスタントメッセージングシステムを使用して、発生された固有の識別子を含む登録メッセージを移動電話へ送信することを少なくとも１つのファシリテータ移動電話に指令するよう動作でき、更に、モバイルメッセージングアプリケーションは、移動電話の所有者の電子メールアドレス含む所定の登録メッセージに対するイントラネットワークメッセージ応答を受信し、イントラネットワークメッセージ応答に含まれる電子メールアドレスと、イントラネットワークメッセージ応答を送信するのに使用される移動電話番号との間の関係を記録し、その後、通信メッセージを所有者へその記録された電子メールアドレスにより送信するよう動作できる、モバイルメッセージングアプリケーションが提供される。
【００４５】
モバイルメッセージングアプリケーションは、配送モジュールと、登録モジュールと、データベースとを備え、配送モジュールは、通信メッセージを受信し、その通信メッセージを分析して、移動電話に指定された移動電話番号及び通信メッセージのメッセージコンポーネントを決定し、固有のコードを発生し、そのような詳細及び固有のコードを登録モジュールへ転送し、更に、登録モジュールは、移動電話の所有者から電子メール応答を受信し、その電子メール応答に示された固有のコードを、配送モジュールにより転送される固有のコードと相関させ、一致が決定されると、第１に、電子メール応答を送信するのに使用される電子メールアドレスと、電子メール応答に示される移動電話番号との間の関係をデータベースに記憶し、第２に、通信メッセージの一致するメッセージコンポーネントを、その記録された電子メールアドレスにより移動電話へ転送するように設計されてもよい。
【００４６】
本発明の第１０の態様によれば、
通信装置により送信された通信メッセージを受信する手段であって、通信メッセージは、意図された受信者を移動電話番号により識別するものである手段と、
移動電話番号が指定された移動電話が接続されるテレコミュニケーションネットワークのイントラネットワークインスタントメッセージングシステムとの制御通信リンクを開始する手段と、
移動電話へ所定の登録メッセージを送信するようにイントラネットワークインスタントメッセージングシステムに指令する手段と、
移動電話番号を含む所定の登録メッセージに対する電子メール応答を受信する手段と、
移動電話との将来のネットワーク間メッセージ通信を容易にするために、電子メール応答を送信するのに使用される電子メールアドレスと、電子メール応答に含まれる移動電話番号との間の関係を記録する手段と、
通信メッセージを移動電話へその記録された関連電子メールアドレスにより送信するよう動作する手段と、
を記録しているコンピュータ読み取り可能な媒体が提供される。
【００４７】
好ましくは、このコンピュータ読み取り可能な媒体は、
通信メッセージを分析し、移動電話に指定された移動電話番号及びメッセージコンポーネントを決定する手段と、
そのメッセージコンポーネント及び移動電話番号を登録モジュールへ伝達する手段と、
電子メール応答を登録モジュールへ伝達する手段と、
電子メール応答に示される移動電話番号を、伝達された移動電話番号の細部と相関させる手段と、
相関の識別において電子メール応答を送信するのに使用される電子メールアドレスと、電子メール応答に示される移動電話番号との間の関係をデータベースに記憶する手段と、
その相関するメッセージコンポーネントを移動電話へその記録された電子メールアドレスにより転送する手段も、記録している。
【００４８】
又、このコンピュータ読み取り可能な媒体は、
通信メッセージが受信されたがまだ移動電話へ転送されていないことを示すメッセージを通信装置へ送信する手段と、
通信メッセージのメッセージコンポーネントが移動電話へ送信されたことを指示するメッセージを通信装置へ送信する手段、のいずれかを記録してもよい。
【００４９】
好ましくは、このコンピュータ読み取り可能な媒体は、
登録メッセージに含ませるための固有のコードを発生する手段と、
その固有のコードを電子メール応答に含まれるコードと相関させる手段も、記録している。
【００５０】
本発明の第１１の態様によれば、
通信装置により送信された通信メッセージを受信する手段であって、通信メッセージは、意図された受信者を移動電話番号により識別するものである手段と、
移動電話番号が指定された移動電話と同じテレコミュニケーションネットワークに接続された少なくとも１つのファシリテータ移動電話との制御通信リンクを開始する手段と、
テレコミュニケーションネットワークのイントラネットワークインスタントメッセージングシステムを使用して少なくとも１つのファシリテータ移動電話を経て所定の登録メッセージを移動電話へ送信する手段と、
電子メールアドレスを含む所定の登録メッセージに対するイントラネットワークメッセージ応答を受信する手段と、
移動電話との将来のネットワーク間メッセージ通信を容易にするために、イントラネットワークメッセージ応答を送信するのに使用される移動電話番号と、イントラネットワークメッセージ応答に含まれる電子メールアドレスとの間の関係を記録する手段と、
通信メッセージを移動電話へその記録された関連電子メールアドレスにより送信するように動作する手段と、
を記録しているコンピュータ読み取り可能な媒体が提供される。
【００５１】
このコンピュータ読み取り可能な媒体は、
通信メッセージを分析して、移動電話に指定された移動電話番号及びメッセージコンポーネントを決定する手段と、
そのメッセージコンポーネント及び移動電話番号を登録モジュールへ伝達する手段と、
イントラネットワークメッセージ応答を登録モジュールへ伝達する手段と、
イントラネットワークメッセージ応答を送信するのに使用される移動電話番号を、通信された移動電話番号の細部と相関させる手段と、
相関の識別においてイントラネットワークメッセージ応答に示される電子メールアドレスと、イントラネットワークメッセージ応答を送信するのに使用される移動電話番号との間の関係をデータベースに記憶する手段と、
その相関するメッセージコンポーネントを移動電話へその記録された電子メールアドレスにより転送する手段も、記録することができる。
【００５２】
又、このコンピュータ読み取り可能な媒体は、
通信メッセージが受信されたがまだ移動電話へ転送されていないことを示すメッセージを通信装置へ送信する手段と、
通信メッセージのメッセージコンポーネントが移動電話へ送信されたことを示すメッセージを通信装置へ送信する手段、のいずれかを記録してもよい。
【００５３】
又、このコンピュータ読み取り可能な媒体は、
登録メッセージに含ませるための固有のコードを発生する手段と、
その固有のコードを電子メール応答に含まれるコードと相関させる手段も、
記録することができる。
【００５４】
本発明の第１２の態様によれば、
通信装置により送信された通信メッセージを受信する手段であって、通信メッセージは、意図された受信者を移動電話番号により識別するものである手段と、
移動電話番号が指定された移動電話が接続されるテレコミュニケーションネットワークのイントラネットワークインスタントメッセージングシステムとの制御通信リンクを開始する手段と、
発生された固有の識別子を含む所定の登録メッセージを移動電話へ送信するようにイントラネットワークインスタントメッセージングシステムに指令する手段と、
移動電話番号及び固有のコードを含む所定の登録メッセージに対する電子メール応答を受信する手段と、
固有のコードが上記発生された固有の識別子に一致する場合に、移動電話との将来のネットワーク間メッセージ通信を容易にするために、電子メール応答を送信するのに使用される電子メールアドレスと、電子メール応答に含まれる移動電話番号との間の関係を記録する手段と、
通信メッセージを移動電話へその記録された関連電子メールアドレスにより送信する手段と、
を記録しているコンピュータ読み取り可能な媒体が提供される。
【００５５】
以下、添付図面を参照して、本発明を説明する。
【図面の簡単な説明】
【００５６】
【図１】本発明によるモバイルメッセージングシステムの第１の実施形態を示す概略図である。
【図２】本発明によるモバイルメッセージングシステムの第２の実施形態を示す概略図である。
【図３】本発明によるモバイルメッセージングシステムの第３の実施形態を示す概略図である。
【発明を実施するための形態】
【００５７】
本発明の第１の実施形態によれば、モバイルメッセージングシステム１０が提供される。このモバイルメッセージングシステム１０は、
・通信装置２２と、
・第１のテレコミュニケーションネットワーク１４と、
・移動電話２４と、
・第２のテレコミュニケーションネットワーク１８と、
を備えている。
【００５８】
通信装置２２は、第１のテレコミュニケーションネットワーク１４を使用して動作可能である。移動電話２４は、第２のテレコミュニケーションネットワーク１８を使用して動作可能である。
【００５９】
第１のテレコミュニケーションネットワーク１４は、更に、モバイルメッセージングアプリケーション２６を備えている。このモバイルメッセージングアプリケーション２６は、配送モジュール２８、登録モジュール３０、及びデータベース３２を備えている。配送モジュール２８は、第１のテレコミュニケーションネットワーク１４を使用して通信装置２２から送信されたメッセージを受け取ることができる。又、配送モジュール２８は、登録モジュール３０及び第２のテレコミュニケーションネットワーク１８ともデータ及びコマンド通信状態にある。
【００６０】
登録モジュール３０は、データベース３２とデータ通信状態にある。
【００６１】
本発明は、その意図された使用について以下に説明される。
【００６２】
第１テレコミュニケーションネットワーク１４の加入者１２（以下、「発信者」）は、第２テレコミュニケーションネットワーク１８の加入者２０（以下、「受信者」）へモバイルメッセージ１６を送信することを決定する。これを行うために、発信者１２は、第１の通信装置２２を使用して第１のテレコミュニケーションネットワーク１４のモバイルメッセージングアプリケーション２６に接続する。
【００６３】
モバイルメッセージングアプリケーション２６に接続すると、このモバイルメッセージングアプリケーション２６は、発信者１２に受信者２０の移動電話番号の入力を促す。それに応答して、発信者１２は、受信者２０の移動電話番号を入力する。入力がなされると、モバイルメッセージングアプリケーション２６は、発信者１２に実際のメッセージの入力を促す。この場合も、それに応答して、発信者１２は、受信者２０へ送られるべきメッセージを入力する。
【００６４】
次いで、発信者１２は、例えば、第１の通信装置２２の「送信」アクチベーションボタン（図示せず）を押すことにより、メッセージを送信する準備ができたことを指示する。
【００６５】
「送信」アクチベーションボタンを押すと、モバイルメッセージ１６（受信者の移動電話番号とメッセージの組み合わせ）が配送モジュール２８へ通される。
【００６６】
配送モジュール２８は、モバイルメッセージ１６を受信し、モバイルメッセージを表すデータを解析し、メッセージから移動電話番号を分離する。次いで、配送モジュール２８は、登録モジュール３０とでチェックを行って、この移動電話番号とＥメールアドレスとの間の関係の記録がデータベース３２にあるかどうか決定する。このような記録がデータベース３２に存在することが分かると、モバイルメッセージ１６が変換されて、メッセージが、移動電話番号ではなく、（記録された関係に示された）受信者２０のＥメールアドレスへ向けられる。次いで、メッセージは、受信者の移動電話２４に対する通常のＥメールシステムを使用して送信される。
【００６７】
次の説明は、データベース３２にこのような記録が存在しないときに適用される。
【００６８】
移動電話番号を分析して、受信者２０が加入者であるところの移動電話ネットワーク１８を識別する。
【００６９】
移動電話番号の分析で、配送モジュール２８に知られた移動電話ネットワークが識別された場合には、配送モジュール２８が、当該移動電話ネットワーク（図示せず）のイントラネットワークインスタントメッセージングシステムとの接続を開始する。この例では、配送モジュール２８が、第２のテレコミュニケーションネットワーク１８のイントラネットワークインスタントメッセージングシステム２７との接続を開始することになる。
【００７０】
接続すると、配送モジュール２８は、受信者２０へ登録メッセージ３４を送信するためのイントラネットワークインスタントメッセージングシステム２７へのコマンドを発生させる。このようなコマンドに応答して、イントラネットワークインスタントメッセージングシステム２７は、必要な登録メッセージ３４を発生させて、それを受信者２０へその移動電話番号により送信する。
【００７１】
この例では、登録メッセージ３４は、受信者２０に発信者１２から（移動電話番号により参照される）モバイルメッセージ１６を受信したことを通知し、そして受信者が自分のＥメールアドレスと移動電話番号との間の関係を登録することを要求する。又、登録メッセージ３４には、配送モジュール２８によって発生された固有のコードも挿入されている。
【００７２】
又、登録メッセージ３４は、Ｅメールアドレスと移動電話番号との間の関係をどのように登録するかに関する受信者２０へのインストラクションを含むと共に、登録時に発信者１２により送信されたモバイルメッセージ１６を見ることができるようになる保証も含む。
【００７３】
配送モジュール２８は、固有のコードを発生するのと同時に、その固有のコードを受信者の移動電話番号及びメッセージと共に登録モジュール３０へ通す。
【００７４】
Ｅメールアドレスと移動電話番号との間の関係を登録するために、受信者２０は、Ｅメール応答３６を、自分の移動電話番号及び固有のコードと共に、モバイルメッセージングアプリケーション２６の登録モジュール３０へ送信する。理想的には、このＥメール応答３６は、受信者の移動電話２４を使用して送信される。
【００７５】
受信者２０からＥメール応答３６を受信すると、登録モジュール３０は、メッセージを解析して、受信者２０の移動電話番号及び固有のコードを識別する。又、登録モジュール３０は、Ｅメール応答３６の送信者フィールドも解析して、受信者のＥメールアドレスを識別する。これらの解析中に識別された移動電話番号及び固有のコードの組み合わせが、配送モジュール２８から受信した移動電話番号及び固有のコードの組合せに一致する場合には、登録モジュール３０が、解析中に識別されたＥメールアドレスと移動電話番号との間の関係の記録を正式なものとし、それをデータベース３２に記憶させる。
【００７６】
次いで、配送モジュール２８は、モバイルメッセージ１６を変換して、メッセージが、受信者２０の電話番号ではなく、（新たに記録された関係に示された）受信者２０のＥメールアドレスに向けられるようにする。次いで、モバイルメッセージ１６は、移動電話に対する通常のＥメールシステムを使用して、モバイルメッセージングアプリケーション２６により送信される。
【００７７】
同じ部分が同じ番号で示された本発明の第２の実施形態１００を以下に説明する。
【００７８】
発信者１２は、受信者２０へモバイルメッセージ１６を送信するよう決定する。これを行うために、発信者１２は、第１の通信装置２２を使用して、第１のテレコミュニケーションキャリア１４のモバイルメッセージングアプリケーション２６に接続する。
【００７９】
モバイルメッセージングアプリケーション２６へ接続すると、モバイルメッセージングアプリケーション２６は、発信者１２に受信者２０の移動電話番号の入力を促す。それに応答して、発信者１２は、受信者２０の移動電話番号を入力する。入力すると、モバイルメッセージングアプリケーション２６は、発信者１２に実際のメッセージの入力を促す。この場合も、これに応答して、発信者１２は、受信者２０へ送られるべきメッセージを入力する。
【００８０】
次いで、発信者１２は、例えば、第１の通信装置２２の「送信」アクチベーションボタンを押すことにより、メッセージを送信する準備ができたことを指示する。
【００８１】
「送信」アクチベーションボタンを押すと、モバイルメッセージ１６（受信者２０の移動電話番号とメッセージの組み合わせ）がモバイルメッセージングアプリケーション２６の配送モジュール２８へ通される。
【００８２】
配送モジュール２８は、モバイルメッセージ１６を受信し、モバイルメッセージを表すデータを解析し、メッセージから移動電話番号を分離する。次いで、配送モジュール２８は、登録モジュール３０とでチェックを行って、この移動電話番号とＥメールアドレスとの間の関係の記録が形成されているかどうか決定する。このような記録がデータベース３２に存在することが分かると、モバイルメッセージ１６が変換されて、メッセージが、移動電話番号ではなく、（記録された関係に示された）受信者のＥメールアドレスへ向けられる。次いで、メッセージは、移動電話の通常のＥメールシステムを使用して送信される。
【００８３】
次の説明は、このような記録が存在しないときに適用される。
【００８４】
移動電話番号を分析して、受信者２０が加入者であるところの移動電話ネットワーク１８を識別する。
【００８５】
移動電話番号の分析で、配送モジュール２８に知られた移動電話ネットワーク１８が識別された場合には、配送モジュール２８は、移動電話ネットワーク（この場合には、第２のテレコミュニケーションネットワーク１８）に直結された複数の通信装置１０２の１つとの通信を開始する。次いで、配送モジュール２８は、第２のテレコミュニケーションネットワーク１８のイントラネットワークメッセージングシステム２７を使用して受信者２０へ登録メッセージ３４を送信するために、複数の通信装置１０２の１つを動作させるのに必要なコマンド３３を送信する。
【００８６】
この例では、登録メッセージ３４は、受信者に発信者１２から（移動電話番号により参照される）メッセージを受信したことを通知し、そして受信者が自分のＥメールアドレスと移動電話番号との間の関係を登録することを要求する。又、登録メッセージには、配送モジュール２８によって発生された固有のコードも挿入されている。
【００８７】
又、登録メッセージ３４は、Ｅメールアドレスと移動電話番号との間の関係をどのように登録するかに関する受信者２０へのインストラクションを含むと共に、登録時に発信者１２により送信されたモバイルメッセージ１６を見ることができるようになる保証も含む。
【００８８】
配送モジュール２８は、固有のコードを発生するのと同時に、その固有のコードを受信者２０の移動電話番号及びメッセージと共に登録モジュール３０へ通す。
【００８９】
Ｅメールアドレスと移動電話番号との間の関係を登録するために、受信者２０は、登録メッセージ３６を送信した通信装置２２へイントラネットワークメッセージングシステム２７を使用して応答３８を送信する。この応答３８は、受信者２０のＥメールアドレス及び固有のコードを含み、受信者の移動電話を経て送信されねばならない。
【００９０】
受信者２０から応答３８を受信すると、登録モジュール３０は、メッセージを解析して、受信者２０のＥメールアドレス及び固有のコードを識別する。又、登録モジュール３０は、標準的な発呼者識別技術を使用して、応答３８を送信した電話番号も分析して、受信者２０の移動電話番号を決定する。識別された移動電話番号及び解析された固有のコードの組み合わせが、配送モジュール２８から受信した移動電話番号及び固有のコードの組合せに一致する場合には、登録モジュール３０が、解析されたＥメールアドレスと識別された移動電話番号との間の関係の記録を正式なものとし、それをデータベース３２に記憶させる。
【００９１】
次いで、配送モジュール２８は、モバイルメッセージを変換して、メッセージが、受信者２０の電話番号ではなく、（新たに記録された関係に示された）受信者２０のＥメールアドレスに向けられるようにする。次いで、メッセージ１６は、次いで、移動電話に対する通常のＥメールシステムを使用して、送信される。
【００９２】
同じ部分が同じ番号で示された本発明の第３の実施形態によれば、モバイルメッセージングシステム２００が提供される。この実施形態のモバイルメッセージングシステムは、次の２つを除いて、本発明の第１の実施形態の場合と同じである。
【００９３】
ａ）発信者は、モバイルメッセージ１６を送信するときにそれら自身の移動電話番号を入力することが要求され、及び
ｂ）受信者１８の移動電話番号と電子メールアドレスとの間の関係がデータベース３２に記録されているかどうかチェックするときに、発信者１２の移動電話番号と電子メールアドレスとの間の関係がデータベース３２に記録されているかどうか調べるための同様のチェックが遂行される。発信者１２の移動電話番号と電子メールアドレスとの間の関係がデータベース３２に記録されていない場合には、次の手順をたどる。
【００９４】
配送モジュール２８が、第１のテレコミュニケーションネットワーク１８のイントラネットワークメッセージングシステム２７との接続を開始する。接続すると、配送モジュール２８は、発信者登録メッセージ２０２を発信者１２へ送信するためのコマンドをイントラネットワークインスタントメッセージングシステム２７へ発生する。このようなコマンドに応答して、イントラネットワークインスタントメッセージングシステム２７は、要求された発信者登録メッセージ２０２を発生して、それを発信者２０へその移動電話番号によって送信する。発信者登録メッセージ２０２は、発信者１２に、受信者２０からの応答及び固有のコードを受信するためのものである電子メールアドレスと移動電話番号との間の関係を記録していないと、通知する。
【００９５】
又、発信者登録メッセージ２０２は、Ｅメールアドレスと移動電話番号との間の関係をどのように登録するかに関する発信者１２へのインストラクションも含む。
【００９６】
配送モジュール２８は、固有のコードを発生するのと同時に、その固有のコードを受信者の移動電話番号及びメッセージと共に登録モジュール３０へ通す。
【００９７】
Ｅメールアドレスと移動電話番号との間の関係を登録するために、発信者１２は、電子メール応答２０４を、その移動電話番号及び固有のコードと共にモバイルメッセージングアプリケーション２６の登録モジュール３０へ送信する。理想的には、この電子メール応答２０４は、発信者１２の移動電話を使用して送信される。
【００９８】
受信者２０からの電子メール応答２０４を受信すると、登録モジュール３０は、メッセージを解析して、発信者１２の移動電話番号及び固有のコードを識別する。又、登録モジュール３０は、Ｅメール応答３６の送信者フィールドも解析し、発信者の電子メールアドレスを識別する。これらの解析中に識別された移動電話番号及び固有のコードの組み合わせが、配送モジュール２８から受信した移動電話番号及び固有のコードの組み合わせに一致する場合は、登録モジュール３０が、解析中に識別されたＥメールアドレスと移動電話番号との間の関係の記録を正式なものとし、それをデータベース３２にさせる。
【００９９】
当業者であれば、本発明は、ここに述べる実施形態に限定されないことが明らかであろう。特に、次の付加的な特徴を合体して、更に別の実施形態を形成することができる。
【０１００】
・固有の識別子は、セキュリティの理由で設けられるものに過ぎないので、省略してもよい。
【０１０１】
・発信者１２は、配送システム２８により、それが受信者２０に意図されたメッセージを受信したことを通知されてもよく、そして受信者２０に、メッセージが受信者への配送を待機中であり、移動電話番号とＥメールアドレスとの間の関係の正式な記録が保留中となっていることを通知してもよい。
【０１０２】
・発信者１２は、更に、登録に続く受信者２０へのメッセージの実際の配送について通知されてもよい。
【０１０３】
・本発明の第１の実施形態の変形例において、Ｅメール応答は、受信者の移動電話番号を省略してもよい。この変形例では、固有の識別子が、受信者の移動電話番号と、（Ｅメール応答に与えられる）それらのＥメールアドレスとの一致をとる上で重要な役割を演じる。
【０１０４】
・本発明の第２の実施形態の変形例において、複数の通信装置の各々に発信者のメッセージを関連付けてもよい。この変形例では、通信装置と発信者のメッセージとの間の１対１の関係が固有の識別子と同じレベルのセキュリティを与えるので、固有の識別子を省略することができる。更に、この構成では、本発明の第１の実施形態で与えられたＥメール応答を利用することができる。
【０１０５】
・本発明の第２の実施形態の更に別の変形例において、複数の通信装置は、ショートコードを経て動作する単一の通信装置に置き換えられてもよい。この装置は、ショートコードに基準コードを追加して、受信者による登録に続く適当なメッセージの転送を容易にすることができる。
【０１０６】
・モバイルメッセージ１６を形成するメッセージ及び電話番号を入力するための方法を変更することができる。例えば、別の構成では、メッセージ及び電話番号を入力するための方法は、「ショートメッセージシステム（ＳＭＳ）」メッセージを送信するための現在のシステムと同様でよい。
【０１０７】
・上述した全ての実施形態に適用できる更に別の構成において、登録メッセージ３６は、ウェブサイト又はワップサイトの「ユニバーサルリソースロケータ（ＵＲＬ）」を含んでもよい。電話がこれを行うことができる場合には、受信者２０は、インターネット接続装置、例えば、パーソナルコンピュータ又はスマートホンを使用してウェブサイト又はワップサイト（適当な方）にアクセスするのにＵＲＬをクリックするだけでよい。或いは又、ウェブサイト／ワップサイトにアクセスするのにＵＲＬそれ自体をインターネットブラウザに入力することが要求されてもよい。ウェブサイト／ワップサイトにアクセスすると、受信者２０は、自分の電子メールアドレスを入力する。次いで、登録モジュール３０は、固有のコード、ショートコード及びユーザに対するインストラクションを含む更に別のメッセージを受信者２０へ送信する。次いで、ユーザは、ショートコードをリングし、固有のコードを入力して、それらが意図された受信者２０であることを検証する。次いで、固有のコードが検証されると、上述したように、モバイルメッセージが受信者２０へ転送される。
【０１０８】
・第３の実施形態の変形例が上述したように形成されてもよい。精巧なものにするために、ユーザが、その移動電話番号ではなく、電子メールアドレスをウェブサイトに入力するのを許すように変更がなされてもよい。或いは又、発信者１２の移動電話番号との通信が、本発明の第２の実施形態で述べたように複数の通信装置を通して行われてもよい。
【０１０９】
更に、当業者であれば、相互に排他的でない前記特徴を組み合わせて本発明の更に別の実施形態を形成できることが明らかであろう。
【符号の説明】
【０１１０】
１０…モバイルメッセージングシステム、１２…発信者、１４…第１のテレコミュニケーションネットワーク、１６…モバイルメッセージ、１８…第２のテレコミュニケーションネットワーク、２０…受信者、２２…通信装置、２４…移動電話、２６…モバイルメッセージングアプリケーション、２７…イントラネットワークインスタントメッセージングシステム、２８…配送モジュール、３０…登録モジュール、３２…データベース、３３…コマンド、３４…登録メッセージ、３６…Ｅメール応答、３８…応答、１００…モバイルメッセージングシステム、２００…モバイルメッセージングシステム、２０２…発信者登録メッセージ、２０４…電子メール応答。
【図１】
2009543437.tif 000003
【図２】
2009543437.tif 000004
【図３】
2009543437.tif 000005
【国際調査報告】
2009543437.tif 000006
2009543437.tif 000007